(57)【特許請求の範囲】
【請求項１】
一対の桶状のコイルをその凹面側を対向させて組にして互いに接続された対向コイルを、４組、隣接する対向コイルのコイル面をコイル面積の約１０％ずつ重ねながら、仮想の円筒の中心軸の周りに４５°間隔で並べて、全体として円筒状に組み合わせたフェーズドアレイコイルであって、前記４組の対向コイルから４つの信号線が引き出されたフェーズドアレイコイルにおける各々の前記対向コイルで受信した受信信号を処理する受信信号処理回路であって、
配置が９０°異なる対向コイルを一つのグループにまとめることにより前記４組の対向コイルを第１グループと第２グループとに分けたときに、第１グループの対向コイルで受信した２つの受信信号をクアドラチャ合成する第１クアドラチャ合成手段および第２グループの対向コイルで受信した２つの受信信号をクアドラチャ合成する第２クアドラチャ合成手段と、
前記第１クアドラチャ合成手段を経た信号をＡ／Ｄ変換する第１変換手段と、
前記第２クアドラチャ合成手段を経た信号をＡ／Ｄ変換する第２変換手段と、
前記第１変換手段及び前記第２変換手段においてデジタル変換された信号をデジタル演算処理する演算手段と、
前記受信信号の流れにおいて前記第１変換手段の直前に設けられ、前記第１クアドラチャ合成手段からの信号を増幅する第１低入力インピーダンスプリアンプと、
前記第１クアドラチャ合成手段と前記第１低入力インピーダンスプリアンプとの間に設けられ、前記第１クアドラチャ合成手段のインピーダンスと前記第１低入力インピーダンスプリアンプのインピーダンスの整合をとる第１変換回路と、
前記受信信号の流れにおいて前記第２変換手段の直前に設けられ、前記第２クアドラチャ合成手段からの信号を増幅する第２低入力インピーダンスプリアンプと、
前記第２クアドラチャ合成手段と前記第２低入力インピーダンスプリアンプとの間に設けられ、前記第２クアドラチャ合成手段のインピーダンスと前記第２低入力インピーダンスプリアンプのインピーダンスの整合をとる第２変換回路とを具備したことを特徴とする受信信号処理回路。
【請求項２】
一対の桶状のコイルをその凹面側を対向させて組にして互いに接続された対向コイルを、４組、隣接するコイル間で相互作用をなくすように隣接する対向コイルのコイル面を所定のコイル面積分重ねながら、仮想の円筒の中心軸の周りに４５°間隔で並べて、全体として円筒状に組み合わせたフェーズドアレイコイルであって、前記４組の対向コイルから４つの信号線が引き出されたフェーズドアレイコイルにおける各々の前記対向コイルで受信した受信信号を処理する受信信号処理回路であって、
配置が９０°異なる対向コイルを一つのグループにまとめることにより前記４組の対向コイルを第１グループと第２グループとに分けたときに、第１グループの対向コイルで受信した２つの受信信号をクアドラチャ合成する第１クアドラチャ合成手段および第２グループの対向コイルで受信した２つの受信信号をクアドラチャ合成する第２クアドラチャ合成手段と、
前記第１クアドラチャ合成手段を経た信号をＡ／Ｄ変換する第１変換手段と、
前記第２クアドラチャ合成手段を経た信号をＡ／Ｄ変換する第２変換手段と、
前記第１変換手段及び前記第２変換手段においてデジタル変換された信号をデジタル演算処理する演算手段と、
前記受信信号の流れにおいて前記第１変換手段の直前に設けられ、前記第１クアドラチャ合成手段からの信号を増幅する第１低入力インピーダンスプリアンプと、
前記第１クアドラチャ合成手段と前記第１低入力インピーダンスプリアンプとの間に設けられ、前記第１クアドラチャ合成手段のインピーダンスと前記第１低入力インピーダンスプリアンプのインピーダンスの整合をとる第１変換回路と、
前記受信信号の流れにおいて前記第２変換手段の直前に設けられ、前記第２クアドラチャ合成手段からの信号を増幅する第２低入力インピーダンスプリアンプと、
前記第２クアドラチャ合成手段と前記第２低入力インピーダンスプリアンプとの間に設けられ、前記第２クアドラチャ合成手段のインピーダンスと前記第２低入力インピーダンスプリアンプのインピーダンスの整合をとる第２変換回路とを具備したことを特徴とする受信信号処理回路。
【請求項３】
請求項１又は請求項２のいずれかの受信信号処理回路を具備したことを特徴とするＭＲＩ装置。
【発明の詳細な説明】
【０００１】
【発明の属する技術分野】
本発明は、フェーズドアレイコイルおよび受信信号処理回路に関し、さらに詳しくは、均一性の高い感度領域を有するフェーズドアレイコイルおよびそのフェーズドアレイコイルで受信した受信信号を好適に処理できる受信信号処理回路に関する。
【０００２】
【従来の技術】
図１３は、ＭＲＩ（Magnetic Resonanse Imaging）装置のフェーズドアレイコイル（phased-array coil）の一従来例を示す模式的斜視図である。
このフェーズドアレイコイル５００は、平面状コイル１１，２１，３１，４１を、隣接する平面状コイルのコイル面をコイル面積の約１０％ずつ重ねながら並べたものである。約１０％ずつ重ねるのは、隣接する平面状コイル（例えば１１に対して２１、２１に対して１１と３１）との相互作用をなくすためである。
ａ１，ａ２，ａ３，ａ４は、各平面状コイル１１，２１，３１，４１で受信した受信信号を導出するλ／２ケーブルである。
【０００３】
図１４は、上記フェーズドアレイコイル５００で受信した受信信号を処理する受信信号処理回路の一従来例を示すブロック図である。
この受信信号処理回路５０００は、フェーズドアレイコイル５００の各平面状コイル１１，２１，３１，４１で受信した受信信号をそれぞれ増幅する低入力インピーダンスプリアンプＬＡ１，ＬＡ２，ＬＡ３，ＬＡ４と、周波数変換とＡ／Ｄ変換を行う変換回路ＲＣ１，ＲＣ２，ＲＣ３，ＲＣ４と、デジタル変換された信号のデジタル演算を行う演算回路ＰＳとを具備している。低入力インピーダンスプリアンプＬＡ１，ＬＡ２，ＬＡ３，ＬＡ４を用いるのは、コイル面の重なりのない平面状コイルすなわち隣接する平面状コイル以外の他の平面状コイル（例えば１１に対して３１、４１）との相互作用を除去するためである。
【０００４】
図１５は、平面状コイル１１のコイル中心でコイル面に垂直な方向の距離に対するコイル感度特性図である。
コイル感度は、コイル面から離れにつれて急速に低下する。
【０００５】
【発明が解決しようとする課題】
図１５から判るように、従来のフェーズドアレイコイル５００のコイル感度特性は、均一性に欠ける。このため、均一な感度領域が要求される頭部や腹部の撮像には都合が悪い問題点がある。
そこで、本発明の目的は、均一性の高い感度領域を有するフェーズドアレイコイルおよびそのフェーズドアレイコイルで受信した受信信号を好適に処理できる受信信号処理回路を提供する。
【０００６】
【課題を解決するための手段】
第１の観点では、本発明は、一対の樋状コイルをその凹面側を対向させて組にした対向コイルを、４組、隣接する対向コイルのコイル面をコイル面積の約１０％ずつ重ねながら、仮想の円筒の中心軸の周りに４５゜間隔で並べて、全体として円筒状に組み合わせたことを特徴とするフェーズドアレイコイルを提供する。上記第１の観点によるフェーズドアレイコイルでは、対向する一対の樋状コイルの間の空間領域では、両側にコイルがあるため、片側のみにコイルがある場合（従来に相当）に比べて感度の均一性が向上する。さらに、ある対向コイルに対して他の３組の対向コイルのうち隣接する２組とはコイル面の重ね合わせにより相互作用がなく、残りの１組とは幾何学的に直交しているため相互作用がないため、Ｓ／Ｎ比を向上できる。よって、感度均一性が高く、且つ、Ｓ／Ｎ比が高いフェーズドアレイコイルとなる。
【０００７】
第２の観点では、本発明は、一対の面状コイルを対向させて組にした対向コイルを、複数組、隣接する対向コイルのコイル面を一部重ねながら、仮想の筒状体の中心軸の周りに並べて、全体として筒状に組み合わせたことを特徴とするフェーズドアレイコイルを提供する。
上記構成において、面状コイルとは、例えば平面状コイル、湾曲面状コイル、屈曲面状コイルをいう。また、筒状とは、例えば多角筒状、円筒状、扁平円筒状をいう。
上記第２の観点によるフェーズドアレイコイルでは、対向する一対の面状コイルの間の空間領域では、両側にコイルがあるため、片側のみにコイルがある場合（従来に相当）に比べて感度の均一性が向上する。よって、感度均一性が高いフェーズドアレイコイルとなる。なお、ある対向コイルに対して他の対向コイルのうち隣接する２組とはコイル面の重ね合わせにより相互作用をなくすことが出来る。また、幾何学的に直交している組とは相互作用がない。さらに、隣接せず且つ幾何学的に直交していない組とは相互作用を生じるが、これは低入力インピーダンスプリアンプを用いることよって相互作用を除去することが出来る。
【０００８】
第３の観点では、本発明は、一対の面状コイルを対向させて組にした対向コイルを、複数個、隣接する対向コイルのコイル面を一部重ねながら、仮想のラインに沿って並べたことを特徴とするフェーズドアレイコイルを提供する。
上記構成において、面状コイルとは、例えば平面状コイル、湾曲面状コイル、屈曲面状コイルをいう。また、ラインとは、例えば直線、湾曲線、屈曲線をいう。
上記第３の観点によるフェーズドアレイコイルでは、対向する一対の面状コイルの間の空間領域では、両側にコイルがあるため、片側のみにコイルがある場合（従来に相当）に比べて感度の均一性が向上する。そして、このような対向コイルをラインに沿って複数組並べるため、広い空間領域または撮像対象物の形状に合わせた形状の空間領域で感度均一性が高くなる。よって、感度均一性が高いフェーズドアレイコイルとなる。なお、ある対向コイルに対して他の対向コイルのうち隣接する２組とはコイル面の重ね合わせにより相互作用をなくすことが出来る。一方、隣接していない組とは相互作用を生じるが、これは低入力インピーダンスプリアンプを用いることよって相互作用を除去することが出来る。
【０００９】
第４の観点では、本発明は、上記第１の観点によるフェーズドアレイコイルの各対向コイルで受信した受信信号を処理する受信信号処理回路であって、配置が９０゜異なる対向コイルを一つのグループにまとめることにより前記４組の対向コイルを第１グループと第２グループとに分けたときに第１グループの対向コイルで受信した受信信号をクアドラチャ合成する第１クアドラチャ合成手段および第２グループの対向コイルで受信した受信信号をクアドラチャ合成する第２クアドラチャ合成手段と、前記第１クアドラチャ合成手段を経た信号をＡ／Ｄ変換する第１変換手段と、前記第２クアドラチャ合成手段を経た信号をＡ／Ｄ変換する第２変換手段と、デジタル変換された信号をデジタル演算処理する演算手段とを具備したことを特徴とする受信信号処理回路を提供する。
上記第４の観点による受信信号処理回路では、幾何学的に直交している２組の対向コイルの受信信号については、クアドラチャ合成をしてＡ／Ｄ変換する。これにより、変換手段の必要数を４個から２個に減らすことが出来る。
【００１０】
第５の観点では、本発明は、上記第１から第３の観点のフェーズドアレイコイルを具備するか又は上記第１の観点のフェーズドアレイコイルおよび上記第４の観点の受信信号処理回路を具備したことを特徴とするＭＲＩ装置を提供する。
上記第５の観点によるＭＲＩ装置では、感度均一性が高く、Ｓ／Ｎ比が高いフェーズドアレイコイルを用いるため、画質の高いイメージの撮像をすることが出来る。
【００１１】
【発明の実施の形態】
以下、図に示す実施形態により本発明をさらに詳しく説明する。なお、これにより本発明が限定されるものではない。
−第１の実施形態−
図１は、本発明の第１の実施形態にかかる円筒型フェーズドアレイコイルの模式的斜視図である。
この円筒型フェーズドアレイコイル１００は、一対の樋状コイル１０ａ，１０ｂをその凹面側を対向させて組にした対向コイル１０と、一対の樋状コイル２０ａ，２０ｂをその凹面側を対向させて組にした対向コイル２０と、一対の樋状コイル３０ａ，３０ｂをその凹面側を対向させて組にした対向コイル３０と、一対の樋状コイル４０ａ，４０ｂをその凹面側を対向させて組にした対向コイル４０とを、仮想の円筒の中心軸Ｊの周りに並べて、全体として円筒状に組み合わせたものである。
【００１２】
図２は、対向コイル１０，２０，３０，４０の配置を示す説明図である。
対向コイル（１０ａ，１０ｂ），（２０ａ，２０ｂ），（３０ａ，３０ｂ），（４０ａ，４０ｂ）は、隣接する対向コイルのコイル面をコイル面積の約１０％ずつ重ねながら、中心軸Ｊの周りに４５゜間隔で並べられている。
対向コイル（１０ａ，１０ｂ）に対して、隣接する２組の対向コイル（２０ａ，２０ｂ）および（４０ａ，４０ｂ）とは、コイル面積の約１０％を重ねているため、相互作用はない。また、残りの１組の対向コイル（３０ａ，３０ｂ）とは、幾何学的に直交しているため、相互作用がない。他の対向コイル同士も同様である。よって、この円筒型フェーズドアレイコイル１００では、対向コイル１０，２０，３０，４０間の相互作用はない。
【００１３】
図３は、対向する樋状コイル１０ａ，１０ｂの接続を示す斜視図である。
樋状コイル１０ａ，１０ｂは、直列に、すなわち、いわゆる８の字コイルとなるように接続されている。
ｉは、対向コイル１０ａ，１０ｂに流れる電流である。また、ａ１は、対向コイル（１０ａ，１０ｂ）で受信した受信信号を導出するλ／２ケーブルである。
樋状コイル１０ａのコーナーＡ，Ｂ，Ｃ，Ｄは、樋状コイル１０ｂのコーナーＦ，Ｅ，Ｈ，Ｇと、中心軸Ｊに対してそれぞれ対称になっている。
他の対向コイル（２０ａ，２０ｂ），（３０ａ，３０ｂ），（４０ａ，４０ｂ）の接続も同様である。
【００１４】
図４の（ａ）は、図４の（ｂ）に示す樋状コイル１０ａ，１０ｂのコイル中心を結ぶ線Ｚ上でのコイル感度特性図である。
コイル感度は、樋状コイル１０ａ，１０ｂの間の空間領域で、従来（図１５）に比べて均一性が改善されている。
【００１５】
図５は、樋状コイル１０ａ，１０ｂの別の接続を示す斜視図である。
樋状コイル１０ａ，１０ｂは、並列に接続されている。このように並列に接続してもよい。
【００１６】
図６に示すように、上記円筒型フェーズドアレイコイル１００で受信した受信信号は、従来と同様の受信信号処理回路５０００により処理することが出来る。
この受信信号処理回路５０００は、上記フェーズドアレイコイル１００の各対向コイル１０，２０，３０，４０で受信した受信信号をそれぞれ増幅する低入力インピーダンスプリアンプＬＡ１，ＬＡ２，ＬＡ３，ＬＡ４と、周波数変換とＡ／Ｄ変換を行う変換回路ＲＣ１，ＲＣ２，ＲＣ３，ＲＣ４と、デジタル変換された信号のデジタル演算を行う演算回路ＰＳとを具備している。
ａ１，ａ２，ａ３，ａ４は、各平面状コイル１１，２１，３１，４１で受信した受信信号を導出するλ／２ケーブルである。
【００１７】
以上のフェーズドアレイコイル１００によれば、樋状コイル１０ａ，…，４０ｂで囲まれた円筒状の内部空間領域において高い感度均一性が得られる。また、樋状コイル１０ａ，…，４０ｂ間の相互作用がないため、高いＳ／Ｎ比を得ることが出来る。
【００１８】
−第２の実施形態−
図７は、本発明の第２の実施形態にかかる受信信号処理回路を示すブロック図である。
この受信信号処理回路１０００は、上記フェーズドアレイコイル１００の各対向コイル１０，２０，３０，４０で受信した受信信号をそれぞれ増幅する低入力インピーダンスプリアンプＬＡ１，ＬＡ２，ＬＡ３，ＬＡ４と、配置が９０゜異なる対向コイル１０，３０で受信した受信信号をクアドラチャ合成する第１クアドラチャハイブリッドＱＨ１と、配置が９０゜異なる対向コイル２０，４０で受信した受信信号をクアドラチャ合成する第２クアドラチャハイブリッドＱＨ２と、前記第１クアドラチャハイブリッドＱＨ１を経た信号をＡ／Ｄ変換する第１変換回路ＲＣ１と、前記第２クアドラチャハイブリッドＱＨ２を経た信号をＡ／Ｄ変換する第２変換回路ＲＣ２と、デジタル変換された信号のデジタル演算を行う演算回路ＰＳとを具備している。
【００１９】
以上の受信信号処理回路１０００によれば、直交している２組の対向コイル１０と３０，２０と４０の受信信号については、それぞれクアドラチャ合成してから変換回路ＲＣ１，ＲＣ２に入力するため、２つの変換回路ＲＣ１、ＲＣ２で足ることとなり、全体として低コスト化できる。
【００２０】
−第３の実施形態−
図８は、本発明の第３の実施形態にかかる受信信号処理回路を示すブロック図である。
この受信信号処理回路２０００は、配置が９０゜異なる対向コイル１０，３０で受信した受信信号をクアドラチャ合成する第１クアドラチャハイブリッドＱＨ１と、前記第１クアドラチャハイブリッドＱＨ１を経た信号を増幅する第１低入力インピーダンスプリアンプＬＡ１と、前記第１クアドラチャハイブリッドＱＨ１と前記第１低入力インピーダンスプリアンプＬＡ１のインピーダンスの整合をとる第１インピーダンス変換回路ＣＶ１と、前記第１低入力インピーダンスプリアンプＬＡ１を経た信号を周波数変換およびＡ／Ｄ変換する第１変換回路ＲＣ１と、配置が９０゜異なる対向コイル２０，４０で受信した受信信号をクアドラチャ合成する第２クアドラチャハイブリッドＱＨ２と、前記第２クアドラチャハイブリッドＱＨ２を経た信号を増幅する第２低入力インピーダンスプリアンプＬＡ２と、前記第２クアドラチャハイブリッドＱＨ２と前記第２低入力インピーダンスプリアンプＬＡ２のインピーダンスの整合をとる第２インピーダンス変換回路ＣＶ２と、前記第２低入力インピーダンスプリアンプＬＡ２を経た信号を周波数変換およびＡ／Ｄ変換する第２変換回路ＲＣ２と、デジタル変換された信号のデジタル演算を行う演算回路ＰＳとを具備している。
【００２１】
以上の受信信号処理回路２０００によれば、直交している２組の対向コイル１０と３０，２０と４０の受信信号については、それぞれクアドラチャ合成してから変換回路ＲＣ１，ＲＣ２に入力するため、２つの変換回路ＲＣ１、ＲＣ２で足ることとなる。
【００２２】
−第４の実施形態−
図９は、本発明の第４の実施形態にかかる受信信号処理回路を示すブロック図である。
この受信信号処理回路３０００は、図６の受信信号処理回路５０００と図７の受信信号処理回路１０００とを切換スイッチｓ１〜ｓ７によって切換可能にすると共に、造影剤検出用コイル５０を使用可能としたものである。
すなわち、切換スイッチｓ１〜ｓ７を図９の実線のように切り換えると、フェーズドアレイコイル１００の各対向コイル１０，２０，３０，４０で受信した受信信号がそれぞれ低入力インピーダンスプリアンプＬＡ１，ＬＡ２，ＬＡ３，ＬＡ４を経て変換回路ＲＣ１，ＲＣ２，ＲＣ３，ＲＣ４に入力され、さらに演算回路ＰＳに入力される。
一方、切換スイッチｓ１〜ｓ７を図９の破線のように切り換えると、フェーズドアレイコイル１００の対向コイル１０，３０で受信した受信信号が第１クアドラチャハイブリッドＱＨ１でクアドラチャ合成され、インピーダンス変換回路ＣＶ１，低入力インピーダンスプリアンプＬＡ１を経て変換回路ＲＣ１に入力され、さらに演算回路ＰＳに入力される。また、対向コイル２０，４０で受信した受信信号が第２クアドラチャハイブリッドＱＨ２でクアドラチャ合成され、インピーダンス変換回路ＣＶ２，低入力インピーダンスプリアンプＬＡ２を経て変換回路ＲＣ１に入力され、さらに演算回路ＰＳに入力される。このとき、造影剤検出用コイル５０で受信した受信信号は、低入力インピーダンスアンプＬＡ３を経て変換回路ＲＣ３に入力され、さらに演算回路ＰＳに入力される。
【００２３】
以上の受信信号処理回路３０００によれば、高いＳ／Ｎ比を得たい場合は４チャネルのフェーズドアレイとして使い、造影剤検出用コイル５０を利用したいときは２チャネルのフェーズドアレイとして使う、といったように必要に応じて切り換えて使い分けすることが出来る。
【００２４】
−第５の実施形態−
図１０は、本発明の第５の実施形態にかかる楕円筒型フェーズドアレイコイルを示す説明図である。
この楕円筒型フェーズドアレイコイル２００は、４組の対向コイル（１０ａ，１０ｂ），（２０ａ，２０ｂ），（３０ａ，３０ｂ），（４０ａ，４０ｂ）を楕円筒状に組み合わせたものである。
この楕円筒型フェーズドアレイコイル２００では、対向コイル（２０ａ，２０ｂ）と対向コイル（４０ａ，４０ｂ）とが直交しないため、低入力インピーダンスアンプを用いて相互作用を除去する必要がある。しかし、人体の腹部に適合した形状の感度領域を得ることが出来る。
【００２５】
−第６の実施形態−
図１１は、本発明の第６の実施形態にかかるライン型フェーズドアレイコイルを示す説明図である。
このライン型フェーズドアレイコイル３００は、一対の平面状コイル１０ｃ，１０ｄを対向させて組にした対向コイル１０と、一対の平面状コイル２０ｃ，２０ｄを対向させて組にした対向コイル２０と、一対の平面状コイル３０ｃ，３０ｄを対向させて組にした対向コイル３０と、一対の平面状コイル４０ｃ，４０ｄを対向させて組にした対向コイル４０とを、仮想の直線に沿って並べたものである。
このライン型フェーズドアレイコイル３００では、ある対向コイルに対して隣接する対向コイル以外の対向コイルとの間で相互作用があるため、低入力インピーダンスアンプを用いて相互作用を除去する必要がある。しかし、撮像対象部位の形状に合わせた比較的自由な形状の感度領域を得ることが出来る。
【００２６】
−第７の実施形態−
図１２は、本発明の第７の実施形態にかかるＭＲＩ装置８０を示すブロック図である。
このＭＲＩ装置８０において、マグネットアセンブリ８１は、内部に被検体を挿入するための空間部分（孔）を有し、この空間部分を取りまくようにして、被検体に一定の主磁場を印加する主磁場コイルと、勾配磁場を発生するための勾配磁場コイル（勾配磁場コイルは、Ｘ，Ｙ，Ｚの各軸のコイルを備えている）と、被検体内の原子核のスピンを励起するためのＲＦパルスを印加する送信コイルと、被検体からのＮＭＲ（Nuclear Magnetic Resonance）信号を検出する受信コイルとが配置されている。受信コイルは、図１のフェーズドアレイコイル１００および図９の造影剤検出用コイル５０を含んでいる。主磁場コイル，勾配磁場コイルおよび送信コイルは、それぞれ主磁場電源８２，勾配磁場駆動回路８３およびＲＦ電力増幅器８４に接続されている。また、フェーズドアレイコイル１００および造影剤検出用コイル５０は、図９の受信信号処理回路３０００から演算回路ＳＰを除去した受信信号処理回路３０００’に接続されている。計算機８６が、演算回路ＳＰとして機能し、受信信号処理回路３０００’と共に受信信号処理回路３０００を構成する。
シーケンス記憶回路８７は、計算機８６からの指令に従い、スピンエコー法などのパルスシーケンスに基づいて、勾配磁場駆動回路８３を操作し、前記マグネットアセンブリ８１の勾配磁場コイルから勾配磁場を発生させると共に、ゲート変調回路８８を操作し、ＲＦ発振回路８９からの高周波出力信号を所定タイミング・所定包絡線のパルス状信号に変調し、それをＲＦパルスとしてＲＦ電力増幅器８４に加え、ＲＦ電力増幅器８４でパワー増幅した後、前記マグネットアセンブリ８１の送信コイルに印加し、所望のスライス領域を選択励起する。
受信信号処理回路３０００’は、フェーズドアレイコイル１００および造影剤検出用コイル５０で検出された被検体からのＮＭＲ信号を増幅し、ＲＦ発振回路８９の出力を参照信号として周波数変換し、次いでＡ／Ｄ変換し、ディジタル信号を計算機８６に入力する。
計算機８６は、図９の受信信号処理回路３０００の演算回路ＳＰとして機能し、造影剤検出用コイル５０による受信信号でタイミングを計り、フェーズドアレイコイル１００による受信信号からｋ空間の全ビュー数のデータを取得し、画像再構成演算を行い、ＭＲイメージを生成する。このＭＲイメージは、表示装置８５にて表示される。
また、計算機８６は、操作卓９０から入力された情報を受け取るなどの全体的な制御を受け持つ。
【００２７】
上記ＭＲＩ装置８０によれば、感度均一性が高く且つＳ／Ｎ比が高いフェーズドアレイコイル１００を用いるため、画質の高いイメージを撮像することが出来る。
【００２８】
−他の実施形態−
平面状コイルを鈍角に折り曲げた屈曲面状コイルを、一対、対向させて組にした対向コイルを、隣接する対向コイルのコイル面を一部重ねながら、仮想の角筒状体の中心軸の周りに並べて、全体として角筒状（例えば８角筒状）に組み合わせてもよい。
また、平面状コイルと湾曲面状コイルと屈曲面状コイルとを適宜組み合わせて例えばエルボ形状のライン型フェーズドアレイコイルとしてもよい。
【００２９】
【発明の効果】
本発明のフェーズドアレイコイルによれば、均一性の高い感度領域を得ることが出来る。
また、本発明の受信信号処理回路によれば、変換手段の数を減らすことが出来る。
また、本発明のＭＲＩ装置では、画質の高いイメージを撮像することが出来る。
【図面の簡単な説明】
【図１】本発明の第１の実施形態にかかる円筒型フェーズドアレイコイルの模式的斜視図である。
【図２】本発明の第１の実施形態にかかる円筒型フェーズドアレイコイルの対向コイルの配置を示す説明図である。
【図３】対向する樋状コイルの接続方法を示す斜視図である。
【図４】樋状コイルのコイル中心でコイル面に垂直な方向の距離に対するコイル感度特性図である。
【図５】対向する樋状コイルの別の接続方法を示す斜視図である。
【図６】本発明の第１の実施形態にかかる円筒型フェーズドアレイコイルで受信した受信信号を処理する受信信号処理回路のブロック図である。
【図７】本発明の第２の実施形態にかかる受信信号処理回路のブロック図である。
【図８】本発明の第３の実施形態にかかる受信信号処理回路のブロック図である。
【図９】本発明の第４の実施形態にかかる受信信号処理回路のブロック図である。
【図１０】本発明の第５の実施形態にかかる楕円筒型フェーズドアレイコイルの図２相当図である。
【図１１】本発明の第６の実施形態にかかるライン型フェーズドアレイコイルの模式的斜視図である。
【図１２】本発明の第７の実施形態にかかるＭＲＩ装置の構成ブロック図である。
【図１３】従来のフェーズドアレイコイルの一例の模式的斜視図である。
【図１４】従来のフェーズドアレイコイルで受信した受信信号を処理する受信信号処理回路のブロック図である。
【図１５】平面状コイルのコイル中心でコイル面に垂直な方向の距離に対するコイル感度特性図である。
【符号の説明】
１０，２０，３０，４０              対向コイル
１０ａ，１０ｂ，２０ａ，２０ｂ，    樋状コイル
３０ａ，３０ｂ，４０ａ，４０ｂ，    樋状コイル
１０ｃ，１０ｄ，２０ｃ，２０ｄ，    平面状コイル
３０ｃ，３０ｄ，４０ｃ，４０ｄ，    平面状コイル
８０                                ＭＲＩ装置
８６                                計算機
１００                              円筒型フェーズドアレイコイル
２００                              楕円筒型フェーズドアレイコイル
３００                              ライン型フェーズドアレイコイル
１０００，２０００，３０００        受信信号処理回路
３０００’                          受信信号処理回路（演算回路を除く）
ＱＨ１，ＱＨ２                      クアドラチャハイブリッド
ＲＣ１〜ＲＣ４                      変換回路
ＰＳ                                演算回路
【図１】
0003727469.tif 000002
【図２】
0003727469.tif 000003
【図３】
0003727469.tif 000004
【図４】
0003727469.tif 000005
【図５】
0003727469.tif 000006
【図６】
0003727469.tif 000007
【図７】
0003727469.tif 000008
【図８】
0003727469.tif 000009
【図９】
0003727469.tif 000010
【図１０】
0003727469.tif 000011
【図１１】
0003727469.tif 000012
【図１２】
0003727469.tif 000013
【図１３】
0003727469.tif 000014
【図１４】
0003727469.tif 000015
【図１５】
0003727469.tif 000016